(57)【要約】【課題】席番プレートの取外しや交換を容易にする席番プレート用台座を提供する。【解決手段】席番を表示する席番プレート２０が着脱可能な本体１を含む席番プレート用台座１０であって、席番プレート２０は平板形状を呈し、主面が本体１に配置可能であり、本体１には、配置された席番プレート２０の端部２０ａを押し込み可能な取り外し用凹部５が画定されている。【選択図】図４
2018033504.tif 000002
【特許請求の範囲】
【請求項１】
席番を表示する席番プレートが着脱可能な本体を含む席番プレート用台座であって、
前記席番プレートは薄板形状を呈し、主面が前記本体に配置可能であり、
前記本体には、配置された前記席番プレートの端部を押し込み可能な取り外し用凹部が画定されている席番プレート用台座。
【請求項２】
請求項１に記載の席番プレート用台座あって、
前記席番プレートが、平面視で矩形状を呈し、
前記取り外し用凹部が、配置された前記席番プレートの端部に沿う直線状の溝によって形成される席番プレート用台座。
【請求項３】
請求項２に記載の席番プレート用台座あって、
前記直線状の溝が、配置された前記席番プレートの端部である長辺に沿うように画定されている、席番プレート用台座。
【請求項４】
請求項１に記載の席番プレート用台座あって、
前記本体には、前記端部の前記取り外し用凹部への押し込み時に、前記席番プレートの傾動の中心となる仕切り壁が設けられている、席番プレート用台座。
【発明の詳細な説明】
【技術分野】
【０００１】
本発明は、椅子等の席番を表示する席番プレートを取り付けるための席番プレート用台座に関する。
【背景技術】
【０００２】
従来より、観覧席や競技場の観客席等に使用される椅子には、席番が付与されている。多目的に使用される場所では、イベント内容に応じて椅子の配列がその都度変わることが多く、席番プレートが固着された椅子では、所定の席番の椅子を探し出し、並べる必要があり、大変煩わしい作業となる。
【０００３】
このような事情に鑑み、椅子に対して取外し可能な構成にした席番の表示部材が提案されている（特許文献１等）。
【先行技術文献】
【特許文献】
【０００４】
【特許文献１】特開２０１３−１７２９１４号公報
【発明の概要】
【発明が解決しようとする課題】
【０００５】
しかしながら、上述した表示部材は、それ自体の取外し及び取り付けの作業が煩わしく、負荷のかかるものとなっている。
【０００６】
本発明は、席番を表示する席番プレートの取外し及び取り付けの作業を容易にする席番プレート用台座に関する。
【課題を解決するための手段】
【０００７】
本発明の席番プレート用台座は、席番を表示する席番プレートが着脱可能な本体を含む席番プレート用台座であって、前記席番プレートは薄板形状を呈し、主面が前記本体に配置可能であり、前記本体には、配置された前記席番プレートの端部を押し込み可能な取り外し用凹部が画定されている。
【発明の効果】
【０００８】
本発明の席番プレート用台座によれば、本体に画定された取り外し用凹部に、席番プレートの端部を押し込むことが可能であるため、席番プレートの取外しや交換の作業を容易なものにすることができる。
【図面の簡単な説明】
【０００９】
【図１】図１は、本発明の実施形態の席番プレート用台座が設けられた椅子の斜視図である。
【図２】図２は、実施形態の席番プレート用台座を示し、（ａ）は磁石シートが取り付けられていない席番プレート用台座の斜視図、（ｂ）は磁石シートが取り付けられた席番プレート用台座の平面図を示す。
【図３】図３は、席番プレート用台座の使用状態を示し、（ａ）は図２（ｂ）のＡ−Ａ線に沿った席番プレート用台座の断面を示すとともに、席番プレートを席番プレート用台座に取り付ける際の状態の説明図、（ｂ）は図３（ｃ）のＢ−Ｂ線に沿った席番プレートが取り付けられた席番プレート用台座の断面図、（ｃ）は席番プレートが取り付けられた席番プレート用台座の平面図を示す。
【図４】図４は、席番プレートを席番プレート用台座から取り外す際の状態の説明図である。
【図５】図５は、席番プレート用台座の変形例の断面図を示す。
【発明を実施するための形態】
【００１０】
以下、本発明の実施形態を、図面を参照して詳細に説明する。図１は、本発明の実施形態の席番プレート用台座（台座）１０が設けられた椅子１００の斜視図である。席番プレート用台座１０は、椅子１００の背の下端であって、座に隣接する位置に設けられている。ただし、席番プレート用台座１０が設けられる位置は特に限定はされない。席番プレート用台座１０は、椅子１００の席番を示すために用いられる部材であり、図１の例では「Ａ−００」の席番が描かれた金属製の席番プレート２０が席番プレート用台座１０ひいては椅子１００に付与されている。後述するように、この席番プレート２０は席番プレート用台座１０に対して着脱可能な構成になっており、作業者が席番プレート２０を交換することにより、椅子１００に対して適切な席番を付与することができる。
【００１１】
図２は、席番プレート用台座１０の全体図を示しており、（ａ）は後述する磁石シート６が取り付けられていない席番プレート用台座１０の斜視図、（ｂ）は磁石シート６が取り付けられた席番プレート用台座１０の平面図をそれぞれ示す。本実施形態の席番プレート用台座１０は、平面視で略矩形状（長方形形状）を有し、席番プレート２０が着脱可能な薄板状の本体１により全体形状が画定されている。本体１の中央には、厚み方向に窪んだ略矩形状の窪み２が形成されている。窪み２の中には、二つのねじ穴３、矩形状の設置用凹部４、取り外し用凹部５がそれぞれ形成されている。設置用凹部４と取り外し用凹部５は仕切り壁７によって仕切られている。
【００１２】
ねじ穴３は、席番プレート用台座１０を椅子１００に固定するためのねじを通す穴であり、その位置や数は特に限定されない。また、席番プレート用台座１０の椅子１００への固定方法は接着剤等を用いてもよく、固定方法は限定されない。平面視で長方形状の設置用凹部４は、窪み２から本体１の厚み方向にさらに窪んで形成され、磁石シート６を設置するための凹部である。取り外し用凹部５は、窪み２の一つの長辺に沿って、窪み２から本体１の厚み方向にさらに窪んで直線状に形成されている。
【００１３】
図３は、席番プレート用台座１０の使用状態を示す。図３（ａ）は、板形状を呈する席番プレート２０を席番プレート用台座１０に取り付ける際の状態の説明図である。席番プレート２０は平面視で略矩形状を呈し、平面視で窪み２とほぼ同じ形状を有する。また、席番プレート用台座１０の設置用凹部４には、磁性を有する平板状の磁石シート６が予め設置されている。磁石シート６は、平面視で設置用凹部４とほぼ同じ矩形状を呈し、設置用凹部４に嵌め込まれている。両面テープや接着剤により、磁石シート６を設置用凹部４に貼り付けてもよい。
【００１４】
作業者は、例えば指Ｆで金属製の席番プレート２０を保持しつつ、席番プレート２０の主面を磁石シート６に近づける（矢印Ｘの方向）。この結果、図３（ｂ）、（ｃ）に示すように、席番プレート２０が磁力を持って磁石シート６に引き寄せられるとともに、その主面が磁石シート６ひいては本体１に配置されるとともに固定され、席番プレート用台座１０に固定される。席番プレート２０は、所定の磁力によって磁石シート６に固定されており、着脱自在であるが、椅子１００を移動させたり、椅子１００に振動を与えても、容易には離脱しない。
【００１５】
図４は、席番プレート２０を席番プレート用台座１０から取り外す際の状態の説明図である。図３（ｂ）、（ｃ）に示すように、席番プレート２０を本体１に配置した際、席番プレート２０の一の端部２０ａが、本体１に画定された取り外し用凹部５に対向する。また、取り外し用凹部５は、本体１に配置された席番プレート２０の端部２０ａに沿う直線状の溝によって形成される。よって、上から力を加えると端部２０ａが取り外し用凹部５に押し込み可能となっている。
【００１６】
すなわち、図３（ｂ）、（ｃ）の状態から、作業者が指Ｆで席番プレート２０の取り外し用凹部５と対向する一の端部（本例では下縁）２０ａを押すと（矢印Ｙの方向）、その端部２０ａが取り外し用凹部５の中に押し込まれて席番プレート２０全体が傾倒（回動）する。このとき、仕切り壁７、特にその頂部が、押し込み時に席番プレート２０の傾倒の中心となる。このため、席番プレート２０の他方の端部（本例では上縁）２０ｂが磁石シート６から離れて掴みやすくなるため、作業者が指Ｆをもって他方の端部２０ｂを容易に持ち上げることができ（矢印Ｚの方向）、席番プレート２０の取り外しや交換を容易に行うことができる。
【００１７】
また、図４に示すように席番プレート２０の傾倒の中心の役割を果たす仕切り壁７から取り外し用凹部５に押し込まれる一の端部２０ａまでの距離Ｌ１は、仕切り壁７から持ち上げ対象である他方の端部２０ｂまでの距離Ｌ２に比べ小さい（Ｌ１＜Ｌ２）。このため、一の端部２０ａの取り外し用凹部５への押し込み量が小さくても、他方の端部２０ｂの持ち上げ量が大きくなり、席番プレート２０の取外しや交換が容易になる。
【００１８】
図５は、席番プレート用台座の変形例の断面図を示す。特に取り外し用凹部５の形状が変形されている。本例では取り外し用凹部５の仕切り壁７の側の側面が、傾斜した傾斜面５ａになっている。図４の状態において、席番プレート２０傾倒が滑らかなものとなる。
【００１９】
上述の実施形態では、取り外し用凹部５は、席番プレート用台座１０の下方位置、すなわち、席番プレート２０の下縁に沿うように形成されているが、取り外し用凹部５を、席番プレート用台座１０の上方位置、すなわち、席番プレート２０の上縁に沿うように形成してもよい。
【００２０】
また、上述の実施形態では、取り外し用凹部５を形成する直線状の溝が、席番プレート２０の端部２０ａであって、平面視で略矩形状の長辺に沿うように形成されている。ただし、取り外し用凹部５は、席番プレート２０の短辺に沿うように、すなわち実施形態の取り外し用凹部５と直交する方向に形成してもよい。この場合、取り外し用凹部５は、席番プレート用台座１０の左または右位置、すなわち、席番プレート２０の左縁または右縁に沿うように形成され得る。すなわち、取り外し用凹部５は、席番プレート用台座１０の左または右位置、上または下位置に配置することができ、複数配置されてもよい。
【００２１】
また、実施形態では、席番プレート用台座が椅子に適用された例について説明したが、本発明の席番プレート用台座が適用される家具は椅子には限定されず、テーブル、机、ソファ等、あらゆる種類の家具に適用可能である。
【００２２】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００２３】
本発明に係る席番プレート用台座によれば、席番を表示する席番プレートの取外しや交換の作業を容易にすることができ、多目的に使用される場所のセッティング作業が容易となる。
【符号の説明】
【００２４】
１      本体
２      窪み
３      ねじ穴
４      設置用凹部
５      取り外し用凹部
６      磁石シート
１０    席番プレート用台座
２０    席番プレート
１００  椅子
【図１】
2018033504.tif 000003
【図２】
2018033504.tif 000004
【図３】
2018033504.tif 000005
【図４】
2018033504.tif 000006
【図５】
2018033504.tif 000007